(57)【要約】【課題】  純銅の触子の改良に係わるものであり、身体への一点接触ないし押圧により、生体エネルギーを適正に整えるに十分な体内電流を促進させることができ、その機能が安定して持続し得る金属触子を提供する。【解決手段】  純銅または純度の高い銅塊体の表面に、ニッケルとロジウムとの合金からなるメッキ層を形成したことを特徴とする体内電流を促進させる金属触体を提供する。  特に、銅塊体の銅の割合が重量９５％以上、メッキ層のニッケルとロジウムとの割合については、ニッケルが４０〜６０重量％、ロジウムが重量４０〜６０％の範囲にあることを特徴とする。【選択図】    図１
2005204955.tif 000002
【特許請求の範囲】
【請求項１】
純銅または純度の高い銅塊体の表面に、ニッケルとロジウムとの合金からなるメッキ層を形成したことを特徴とする体内電流を促進させる金属触子。
【請求項２】
銅塊体の銅の割合が重量９５％以上、メッキ層のニッケルとロジウムとの割合については、ニッケルが４０〜６０重量％、ロジウムが重量４０〜６０％の範囲にあることを特徴とする請求項１記載の体内電流を促進させる金属触子。
【発明の詳細な説明】
【技術分野】
【０００１】
この発明は、身体に接触させると体内電流が促進・活性化されることから、生体エネルギーが適正に整えられるため、各種の疾患や病変を改善することのできる体内電流を促進させる金属触子に関する。
【背景技術】
【０００２】
身体には体内電流（生体電流）という極微弱な電流が流れている。また、体内細胞は、電気を発生させる性質を有するとともに、電気を通す性質を有する半導体でもある。この体の細胞の一つ一つにプラスとマイナスとがつり合って調和しながら体内に電気が順調に流れていると心身ともに快調で理想的であるが、停滞したり微弱になって体内電流に乱れが生じると、腰痛、肩凝り、めまいなどの体調不良として現れる。
【０００３】
従来、体内電流を促進させる手段として、身体の一部に銅片を、異なる他の部位にアルミ片をそれぞれ粘着テープ等で止め、銅とアルミニウムとの電位差を利用してその間に電流を生じさせることにより、体内電流の停滞を解消して腰痛等を治療する方法が行われていた。また、純銅を単独で触子として用いても同じように体内電流を促進させることができるためこれも治療に用いられていた。一方、磁気を身体に当てるとこれによっても体内電流が促進されることから、腕輪、ネックレス、貼着粒等として応用されてきたが、最近のＯＡ機器に磁気ディスクを使用する障害となる欠点があるので、金属の電位による場合が安全である。
【０００４】
しかしながら、銅とアルミとの電位差を利用する場合であると、二点接触となるので、そのような器具の取り扱いが煩雑となるだけでなく、器具への応用もその点で制約を受けることになる。純銅の触子は、単独接触となるのでこのような制約はなく、器具への応用が開けるものの、体内電流を促進させる効果が十分ではなく、また、身体の分泌物に触れる関係もあって酸化しやすく耐蝕性にも乏しく次第に機能を喪失し、あるいは他の物に触れて損傷を受ける等の問題があり、この問題を解決するために、この出願の発明者等においては鋭意研究と実験を繰り返してきた。
【発明の開示】
【発明が解決しようとする課題】
【０００５】
この発明は、上述のように、純銅の触子の改良に係わるものであり、身体への一点接触ないし押圧により、生体エネルギーを適正に整えるに十分な体内電流を促進させることができ、その機能が安定して持続し得る金属触子を提供することを課題とした。
【課題を解決するための手段】
【０００６】
上記の課題を解決するために、この発明は、純銅または純度の高い銅塊体の表面に、ニッケルとロジウムとの合金からなるメッキ層を形成したことを特徴とする体内電流を促進させる金属触体を提供するものである。
【０００７】
体内電流を促進させる金属触体は、上記のように構成したものであるが、これを身体の皮膚に押し当て、または擦り合わせると、従来のメッキのない純銅単独の場合よりも体内電流が促進されることが分かった。その原因は全てを解明することはできないが、銅塊体がメッキ層で保護されて酸化が防止されること、また、メッキ層がニッケル（Ｎｉ）とロジウム（Ｒｈ）との合金であり、共に銅に比して化学的に安定で耐蝕性に優れているばかりでなく、硬度が高く（ロジウムであると、Ｈｖ８００〜１０００ときわめて高い）、長期間において安定した接触抵抗が保持されることが挙げられる。
【０００８】
用途については、体内電流を促進させる健康器具そのものであっても良いことはもちろんであるが、皮膚接触させて着用するものであれば、体内電流を促進させることができるので、特に限定するものではない。例えば、後記する整体器の整体子のほか、腕輪、ネックレス、イアリング等の身廻装飾品、さらには、皮膚ローラ等の美容器具を挙げることができる。
【０００９】
銅塊体は、電気抵抗が小さいという面から純銅が最も望ましいが、純銅であると強度的弱点があるので、球体やローラのように安定した形状において使用するのに適しているが、腕輪、ネックレス、イアリング等では９５％以上の銅合金であっても所定の効果が得られるので許容される。また、ニッケルとロジウムとの割合については、ニッケルが４０〜６０重量％、ロジウムが重量４０〜６０％の範囲にあれば、銅単独の金属触子よりも体内電流を促進させることができたので、その範囲における合金のメッキ層であることが望ましい。
【発明の効果】
【００１０】
以上説明したように、この発明の体内電流を促進させる金属触子によれば、純銅または純銅に近い銅塊体が耐蝕、耐磨耗性に優れたニッケルとロジウムとの合金からなるメッキ層により保護され、安定した接触抵抗が保持されるだけでなく、そのメッキ層の存在により純銅以上に体内電流を促進させることができ、これを身体に皮膚に押し当て又はすり合わせることにより、腰痛、肩凝り等の数多くの疾患の治療に優れた効果を奏し、しかも、整体器等の治療器具や各種身廻装飾品等への応用が開けるという優れた効果がある。
【発明を実施するための最良の形態】
【００１１】
図１および図２は、この出願人において開発し既に出願した整体器Ｈにおいて押圧先の整体子として実施したもので、その体内電流を促進させる金属触子Ｐは、純銅の銅塊体１にニッケル（Ｎｉ）とロジウム（Ｒｈ）との合金でメッキを施し、銅塊体１の表面にその合金のメッキ層３が形成されている。銅塊体１には１００％の純銅の塊を切削して球状に形成したものを使用し、メッキ層３の合金組成については、種々の実験の結果、その中で最良と思われる素材について、バックグランドスペクトルによる分析により、ニッケルが５３．０７重量％（原子％；６６．４６６）、ロジウムが４６．９３重量％（原子％；３３．５３４）であることが分かった。図６にその分析結果を示す。
【００１２】
純銅については、無酸素銅、タフピッチ銅、リン脱酸銅の製造方法があり、そのいずれによる純銅を使用しても良いが、無酸素銅は、還元性雰囲気中で脱酸、あるいは真空溶解することで含有酸素量を低下させたもので、水素脆性を起こすおそれがなく、不純物元素も少ないことから、この製法による純銅を最適として採用した。
【００１３】
しかし、タフピッチ銅は、電気、熱の伝導性に優れているので、体内電流を促進させる点で望ましい。また、展延性、絞り加工性、耐候性が良いことから、単に球体のような形状に限られることはなく、エアリング等の身廻品のように複雑な形状の金属触子の製造に適している。ただし、還元性雰囲気中で加熱すると水素脆性を起こす欠点がある。リン脱酸銅は、リンを脱酸素剤として使用し、含有酸素量を低下させたので、水素脆性を起こすおそれはないがが、タフピッチ銅に比べて導電率はやゝ低下する欠点がある。
【００１４】
整体器Ｈは、上端が逆Ｕ字形に曲がる左右一対の起立レール５，５を台車７に立設し、その間に挟まれる押アーム９の先端に金属触子Ｐを取り付けたもので、重り１１の力により金属触子Ｐを身体Ｂの一部に持続的に（疾患の種類や症状等により５〜９０分）押し当てることにより、生活習慣を原因とするしつこい骨格構造の歪みやズレを時間をかけながら物理的な力で矯正できるものであるが、この発明に係る金属触子Ｐを身体に押し当てることになるため、体内電流が促進されることから、それによる疾患の改善がなされるだけでなく、身体が柔らくなるために、整体の治療効果も併せて高めることができ、非常に高い相乗効果が得られることが分かった。
【００１５】
図示の整体器Ｈについては、押アーム９がピン１３を支点にして上下方向Ｓへ揺動可能であって、押アーム９からワイヤー１５で吊り下げられる重り受け１７に重り１１を治療に適当な個数において重ね入れると、その重みが金属触子Ｐを身体Ｂに押圧する力として比例的に作用する。
【００１６】
金属触子Ｐの取り付けについては、それに雄ねじボルト２３が螺入されるねじ孔１８が設けてあって、押アーム９の先端に角筒体１９を直角に取り付け、それに嵌合するプラスチックの中子２１に雄ねじボルト２３を介して螺着される。なお、身体Ｂに押アーム９が触れないように、雄ねじボルト２３を長く下へ突出する寸法にする等して、金属触子Ｐを押アーム９に対してさらに下へ垂下する位置に設けることもある。
【００１７】
また、別の整体器Ｈについて、図示は省略するが、ワイヤー１５を介して重り１１の力が押アーム９を先端方向Ｑへ押す力として作用するようにすることもある。図３がその場合の押アーム９の先端部を示したもので、押アーム９の先端に中子２２を嵌入し、それに雄ねじボルト２４を介して金属触子Ｐが取り付けられる。また、図４は、金属触子Ｐをローラ形に形成したもので、これに設けられるねじ孔１８に雄ねじボルト２３を螺入して、整体器Ｈの押アーム９にその金属触子Ｐが取り付けられる。
【００１８】
図５は、身廻装飾品として腕輪として実施したもので、その体内電流を促進させる金属触子Ｐは、錫が重量５％を含む銅塊体１によりリング状に形成し、その周囲にニッケル約５０重量％、ロジウム約５０重量％の合金によりメッキ層３が形成されている。
【図面の簡単な説明】
【００１９】
【図１】身体の歪み等を矯正する整体器に取り付けて使用するこの発明に係る体内電流を促進させる金属触子を一部切欠して示す斜視図である。
【図２】同体内電流を促進させる金属触子の取り付け状態を示す縦断面図である。
【図３】他の整体器において体内電流を促進させる金属触子の別の取り付け状態を示す図２に対応する縦断面図である。
【図４】他の実施形態を示す体内電流を促進させる金属触子の一部切欠した斜視図である。
【図５】さらに他の実施形態を示す体内電流を促進させる金属触子の一部切欠した正面図である。
【図６】この発明に係る体内電流を促進させる金属触子におけるメッキ層の金属組成を検出したスペクトル分析結果を示す図である。
【符号の説明】
【００２０】
Ｐ  体内電流を促進させる金属触子
１  銅塊体
３  ニッケルとロジウムとの合金からなるメッキ層
【図１】
2005204955.tif 000003
【図２】
2005204955.tif 000004
【図３】
2005204955.tif 000005
【図４】
2005204955.tif 000006
【図５】
2005204955.tif 000007
【図６】
2005204955.tif 000008